(57)【要約】      （修正有）【課題】ボールペンのペン先には、時折気泡が入ってしまい、インクが十分に残っているにもかかわらず書けなくなってしまうことがあった。これを修理するために、手で振ったり、ヒモをペン先に直接取り付けて、遠心力を得るなどの方法があったが、ペン先を裸で扱うと危険だったり、十分な回転数が得られないため修理が容易でないなどの問題があった。【解決手段】透明な筒状のケース（４）にペン先を収納し、簡単には飛び出さないように、ねじ山を施したフタ（７）をとりつける。ゴムやプラスチックでできた円盤状のフライホイール（５）に２箇所の穴（６）を開け、ヒモを通し、前記ペン先のケースを取り付け、ぶんぶんゴマにすることで、遠心力によりボールペンを修理しつつ、安全性と高回転の両立を実現した。【選択図】図２
2011056782.tif 000002
【特許請求の範囲】
【請求項１】
回転体の重心付近に２箇所の穴を開け、その穴にヒモを通し、結ぶことによってなるぶんぶんゴマであって、回転体に、ボールペンの芯を、ペン先が回転体の外周方向を向くように固定、収容する透明もしくは半透明の容器を取り付け、ぶんぶんゴマの遠心力によってボールペンのインクをボールペンの芯のペン先部分に引き寄せることにより、ボールペンを修理できることを特徴としたボールペン修理器。 
【請求項２】
前期回転体に樹脂、もしくはゴムの円盤状の材料を用い、円盤の中央付近に２箇所の穴を開け、その穴にヒモを通し、結ぶことによってなるぶんぶんゴマであって、透明または半透明樹脂製の筒状の収納容器を円盤に係合し、ボールペンの芯を、ペン先が回転体の外周方向を向くように収容し、容器の一端には、ねじ山を施し、前記ねじ山に対応するねじ山をもったフタを取り付け、もう一端には衝撃吸収性のある弾性体を取り付け、ボールペンを収容し、前記フタをした状態で重心が円盤の中心になるように重量配分を調整し、ぶんぶんゴマの動作による遠心力によってボールペンのインクを芯のペン先部分に引き寄せることによって、ボールペンを修理できることを特徴とした請求項１に記載したボールペン修理器。
【請求項３】
前期回転体に、透明または半透明樹脂製の筒を用い、筒の中央付近に２箇所の穴をもった部材を取り付け、その穴にヒモを通し、結ぶことによってなるぶんぶんゴマにおいて、前記筒の内部にボールペンの芯を、ペン先が回転体の外周方向を向くように収納し、容器の一端にねじ山を施し、前記ねじ山に対応するねじ山をもったフタを取り付け、もう一端には衝撃吸収性のある弾性体を取り付け、フタをした状態で重心が、筒に取り付けヒモを通した穴の開いた部材付近になるように重量配分を調整するオモリを収納容器に取り付け、ぶんぶんゴマの動作による遠心力によってボールペンのインクを芯のペン先部分に引き寄せることによって、ボールペンを修理できることを特徴とした請求項１に記載したボールペン修理器。
【請求項４】
前期回転体に、透明または半透明樹脂製の本体、フタから構成される薄い円盤状の容器を用い、容器の本体とフタの中央付近に２箇所の穴を開け、その穴にヒモを通し、結ぶことによってなるぶんぶんゴマであって、容器の内部にボールペンの芯を、ペン先が回転体の外周方向を向くように、固定し、容器のふたを閉じた状態で重心が容器の中心付近にあけた穴の付近になるように重量配分を調整し、ぶんぶんゴマの動作による遠心力によってボールペンのインクを芯のペン先部分に引き寄せることによって、ボールペンを修理できることを特徴とした請求項１に記載したボールペン修理器。
【発明の詳細な説明】
【技術分野】
【０００１】
本発明は、ボールペンの芯に気泡が入るなど、インクの偏りにより書けなくなったボールペンの修理に関するものである。
【背景技術】
【０００２】
ボールペンの芯の先端付近には、時折気泡などが入り、インクがまだ残っているにもかかわらず、書けなくなってしまうことがある。製造の工程では、インクを先端付近に集結させ、気泡を抜くために遠心力を使った専用の機材が存在する。
【０００３】
特許文献１には、ボールペンの製造工程で、遠心力を使ってインクを充填する方法が開示されている。
【先行技術文献】
【特許文献】
【０００４】
【特許文献１】特開２００４−２３０８１９号公報
【発明の概要】
【発明が解決しようとする課題】
【０００５】
ボールペンを長く使わなかったり、ポケットに入れていたりすると、時折ボールペンの芯の先端近くに気泡ができてしまい、インクはまだあるのに、ペン先部分にインクが供給されなくなるため、書けなくなってしまうことがある。書けなくなってしまったボールペンを修理するために、手でふったり、空気を吹き込んだりして修理を試みるなどの方法が周知とされている。また、ボールペンを分解して芯だけを取り出し、ヒモやゴムを結びつけて、回転させることにより遠心力を発生させて修理するなどの方法も周知とされている。しかし、ボールペンを手で直接振る方法は十分な遠心力が得られなかったり、ヒモやゴムをボールペンの芯に直接結びつける方法の場合、芯が軽量すぎ、また重心が合っていないため十分な回転数が得られないため、インクが容易に先端部分に集まらなかったり、ペン先が裸の場合、先端がとがっているため、高速回転では人を傷つける恐れがあったり、外れたりすると飛んでくる可能性があり危険だった。なお、ヒモやゴムをペン先に直接結わいつけ、遠心力を発生させて修理する方法は、周知であり、適当な特許文献は見当たらない。
【課題を解決するための手段】
【０００６】
本発明は、昔から遊具として伝わる、ぶんぶんゴマの原理を用いて遠心力を発生させて、ボールペンのインクを芯の先端部分に再び供給されるようにすることで上記課題を解決する。また、課題にある、ボールペンの芯が裸では人を傷つける恐れがある、または、芯が飛んでくるなどの危険性を解決するために、容易には開かないボールペンの芯専用の収納ケースをぶんぶんゴマ本体上に作り、ボールペンの芯が飛び出したり、回転により芯が人に危害を加えないよう安全性の課題を解決した。ボールペン本体を収容すると、ボールペンの種類によって大きさや太さにばらつきがあるため十分に固定できなくなったり、重量が重くなってしまいぶんぶんゴマの重心がずれて、高い回転数と安定性が得られなくなる。そのため、ボールペンを分解し、中に入っているボールペンの芯（インク収容管とボールペンの先端部分とからなる部位）だけをぶんぶんゴマ上の収納ケースに収容する。ぶんぶんゴマ上の芯の収納ケースは、容易には開かないフタ、たとえばネジ構造のあるフタ、もしくはタッパー構造のあるフタを用い、操作中に容易に開いてしまわないようにすることで、課題にある安全性の問題を解決した。また、ぶんぶんゴマとして動作させるために必要な、高い回転数と安定性を得るために、フライホイール構造を取り入れ、ぶんぶんゴマとしての安定性と、高速回転の課題を解決した。前記フライホイールに２つの穴をあけ、ヒモを通し、ヒモの両端を結ぶことで、ぶんぶんゴマとなり、遠心力によるボールペンの修理が可能となる。
【発明の効果】
【０００７】
インクがあるのに書けなくなってしまったボールペンは、多くの場合捨てるに捨てきれず、保存されることも多かった。本発明修理器によって、安全性を維持しつつ、ぶんぶんゴマの遠心力によって、インクが容易に先端部に集まるようになり、ボールペンが再び書けるようになる。
【図面の簡単な説明】
【０００８】
【図１】広く一般的に普及しているボールペンの芯。（ａ）は正常な芯。（ｂ）は先端に気泡ができてしまった芯で、インクはあるが書けなくなってしまっている。
【図２】本発明修理器の外観を示した図
【図３】図２記載の本発明修理器にボールペンの芯を収納した状態の図。ペン先が、収納ケースの先端に来るように収納し、フタをする
【図４】図２記載の本発明修理器に実際にヒモ１３を通した図
【図５】図２記載の本発明修理器を実際に使っている様子を示した図。ぶんぶんゴマとして動作している様子
【図６】本発明修理器の外観。図２の構成から、円盤状のディスク部分を除いた簡易版の構造の例。
【図７】図６記載の本発明修理器のに実際にボールペンの芯を収納した状態を示した図
【図８】本発明修理器の外観。薄型の円盤状の容器に芯を収納する
【図９】図８記載の本発明修理器に実際にボールペンの芯を収納し、ヒモを通しぶんぶんゴマとした状態
【発明を実施するための形態】
【０００９】
発明の実施するための最良の形態を図面を参照して説明する。
【００１０】
図１において、広く一般的に普及しているボールペンの芯を示す。（ａ）は正常な芯。（ｂ）は先端付近に気泡２ができてしまった芯で、インクはあるが書けなくなってしまっている。
図２において、樹脂、もしくはゴムなどで構成される円盤状のフライホイール５に、ヒモを通す穴６を２箇所空け、ヒモを通し、ぶんぶんゴマとしたうえで、ボールペンの芯のケース４を取り付ける。ケース４は筒状で、透明、もしくは半透明な樹脂で構成され、ボールペンの芯のインクの偏り状態を常に観察できる。ケースの出し入れ口８には、ねじ山を施し、対応するねじ山を施したフタ７を装着することができる。ケースの出し入れ口８からは、ボールペンの芯９を投入することができ、投入後、フタ７を閉じれば、容易に芯が外に出ることが無い。ボールペンの芯は、先端から入れ、とがっているペン先が、収納ケースの先端の弾性体３の近くに来るように向けて入れる。ケースの反対側には、衝撃吸収性のある弾性体３を取り付ける。衝撃吸収性のある弾性体３には、プラスチックよりも軟質で、スポンジよりも硬いウレタンスポンジなどの材料を用い、回転中に人に当たっても人を傷つけることの無いようにする。図３において、芯のケース１０にボールペンの芯を入れて、フタ１２を閉じた様子を示す。芯を投入し、フタをした状態で全体の重心が、フライホイールの穴１１の付近に来るように重量配分を調整する。芯の先端が、ぶんぶんゴマの外側、外周の方角を向くように入れる。図４において、ヒモ１３をフライホイール上の穴に通し、ぶんぶんゴマとして動作させる。図５において、ヒモの両端を手で持ち、両手を引いたり、戻したりすることで、ぶんぶんゴマを動作させ、遠心力を発生し、ケースに収納されたボールペンの芯の中のインクがペン先に流れてくることで、再びボールペンが書けるようになる。このとき、ボールペンの芯はケースによって保護され、芯が飛び出たり、芯が人を傷つけないようになる。また、図２記載の弾性体３によって、回転中に人に当たっても、人を傷つけることはなく、衝撃が吸収される。
【００１１】
図６において、円盤状のフライホイールの代わりに、ヒモを通す穴の開いた部材２０を、ボールペンの芯２４のケース１９に直接取り付け、オモリ２３によって重心がヒモを通す穴の部材２０の付近に来るように調整し、構成部品の重量のみでフライホイールとして作用するぶんぶんゴマとした。ケース１９は筒状で透明、もしくは半透明な樹脂で構成され、ボールペンの芯のインクの偏り状態を常に観察できる。ケース１９の出し入れ口２２にはねじ山を施し、対応するねじ山を施したフタ２１を取り付ける。ケースのもう一端には、衝撃吸収性のある弾性体１８を取り付ける。弾性体１８には、プラスチックより柔らかく、スポンジよりも硬い材料、たとえばウレタンスポンジなどで構成する。ボールペンの芯は、先端部の弾性体１８の方向を向くように入れる。図７において、ボールペンの芯をケースに入れた状態で、重心がヒモの穴２５の付近に来るようにし、全体の重量によってフライホイールの効果を得ることにより、ぶんぶんゴマとして動作させ、図２記載の修理器と同様に遠心力を発生させ、ケースに収納されたボールペンの芯の中のインクがペン先に流れてくることで、再びボールペンが書けるようになる。
【００１２】
図８において、薄型の円盤状の容器の本体２７とそれに対応する薄型の円盤状のフタ３０をフライホイールとし、それぞれにヒモを通す穴２９と３１を２箇所ずつ開け、ヒモを通すことによってぶんぶんゴマとした上で、円盤状の容器本体２７には、ボールペンの芯３２を両側から挟み固定するために、ボールペンを中心にして両側から挟むように突起した突起部２８を施し、ボールペンの芯３２を固定できるようにする。円盤状の容器は、透明もしくは半透明な樹脂で構成され、ボールペンの芯のインクの偏り状態を常に観察できる。ボールペンの芯のペン先は、円盤の外周の方向を向くように取り付ける。円盤状の容器本体２７と、円盤状の薄型のフタ３０は、タッパーのような構造３４と３７で噛みあい、フタが容易に開かないように密閉できるようにする。図９において、ボールペンの芯を収納した容器３７にヒモ３６を通し、ぶんぶんゴマとして動作させ、図２記載の修理器同様に遠心力を発生し、ケースに収納されたボールペンの芯の中のインクがペン先に流れてくることで、再びボールペンが書けるようになる。
【産業上の利用可能性】
【００１３】
まだインクが残っているのに、なぜか書けなくなってしまったボールペンの場合、その多くはインクがなくなってしまったことによるものではなく、ペン先の先端の方に気泡が入ってしまったことによる。壊れているというわけではなく、かといってインクを使いきったわけでもないので、多くの人はこれを捨て切れずに保管したり、何とか治したりしようと努力してきた。しかし、従来の方法の多くは危険だったり、十分な遠心力が得られないことが多かった。本発明修理器により、安全性と十分な回転数を同時に実現しつつ、遠心力によりボールペンを再び書けるように修理することができるため、産業上大きな利益を生み出す可能性がある。
【符号の説明】
【００１４】
１    ボールペンの芯。ペンの先までインクがいっぱいあり、問題なく書ける
２    ボールペンの芯。先端付近に気泡ができており、インクがあるが書けなくなっている
３    収納ケースの先端に施した丸いデザイン、もしくは衝撃吸収性のある弾性体
４    ボールペンの芯を収納する筒状のケース
５    薄い円盤状のフライホイール
６    フライホイールの中心部分に開けた穴。ぶんぶんゴマとして作動させるためのヒモを通す。穴は２個開いている
７    芯を収納する筒状の収納ケースのフタ。ねじ山があり、手で回して取り付ける
８    芯を収納する筒状の収納ケースの終端の出し入れ口。ここから芯を収納する。ねじ山があり、フタが取り付けられる
９    気泡が入り、書けなくなったボールペンの芯
１０  ボールペンの芯を収納した状態の筒状のケース。ケースは透明もしくは半透明でインクの状態を横から確認できる
１１  フライホイールの中心に開いている、ヒモを通すための穴
１２  筒状のケースにフタをした状態
１３  ぶんぶんゴマを動作させるために、フライホイールに通したヒモ
１４  本発明修理器
１５  ぶんぶんゴマの動作に伴い、ヒモがよれている状態
１６  ぶんぶんゴマとして動作させるために、人がヒモの両端を持って、引っ張ったり、緩めたりを繰り返す
１７  回転している本発明修理器。回転に伴い遠心力が発生し、インクが先端部分にむかって再び移動する
１８  ボールペンの芯の収納ケースの先端に施した丸いデザイン、もしくは衝撃吸収性のある弾性体
１９  ボールペンの芯を収納する筒状のケース
２０  ケースの中心に取り付ける、ヒモを通すための穴の開いた部材
２１  ボールペンの芯を収納する筒状の収納ケースのフタ。ねじ山があり、手で回して取り付ける
２２  ボールペンの芯を収納する筒状の収納ケースの出し入れ口。ここから芯を収納する。ねじ山があり、フタが取り付けられる
２３  全体の重心が、ヒモを通す穴の部分２０に来るように重量配分の調整するためのオモリ
２４  気泡が入り、書けなくなったボールペンの芯
２５  フライホイールの中心に開いている、ヒモを通すための穴の開いた部材。芯を収納した状態で、この穴の部分に重心が来る
２６  筒状の芯の収納ケースに取り付けたフタ。手で回して取り付ける。
２７  ボールペンの芯を収納する薄い円盤状の容器本体。透明もしくは半透明の樹脂製
２８  ボールペンの芯を固定する突起部。芯の両サイドに突起しており、芯を挟み込む
２９  ぶんぶんゴマのヒモを通すための穴
３０  ボールペンの芯を収納する薄い円盤状の容器に対応したフタ。透明もしくは半透明の樹脂製
３１  ぶんぶんゴマのヒモを通すための穴
３２  容器の中にある突起部に挟まれ、固定されたボールペンの芯
３３  容器本体を横から見た図。突起部に挟まれてボールペンが固定されている
３４  容器本体に施されたタッパー構造
３５  容器のフタに施されたタッパー構造
３６  ぶんぶんゴマのヒモ
３７  図８記載の修理器
【図１】
2011056782.tif 000003
【図２】
2011056782.tif 000004
【図３】
2011056782.tif 000005
【図４】
2011056782.tif 000006
【図５】
2011056782.tif 000007
【図６】
2011056782.tif 000008
【図７】
2011056782.tif 000009
【図８】
2011056782.tif 000010
【図９】
2011056782.tif 000011